(57)【特許請求の範囲】
【請求項１】
表面側を覆う透液性トップシートと、裏面側を覆う不透液性バックシートと、前記各シート間に介在された吸収体と、前記透液性トップシートの表面における前記吸収体の両側に夫々設けられた立体ギャザーとからなる紙おむつ本体を有するパンツ式又はテープ式の使い捨て紙おむつであって、前記紙おむつ本体は、その股間中心部側が前記吸収体の中央部より狭幅に形成され、前記立体ギャザーは胴回り部側では開放され、前記股間中心部側では一方の側部から他方の側部に跨って横切るようにして前記股間中心部側に突状とされた湾曲形状に形成されてなり、かつ当該紙おむつ本体は前記紙おむつの前身頃及び／又は後身頃の位置に設けられていることを特徴とする使い捨て紙おむつ。
【請求項２】
前記紙おむつ本体は、止着部材を介して前記前身頃及び／又は後身頃に取り付けられていることを特徴とする請求項１に記載の使い捨て紙おむつ。
【請求項３】
前記紙おむつの前記股間中心部位置における幅方向の寸法は１〜４ｃｍであることを特徴とする請求項１又は請求項２に記載の使い捨て紙おむつ。
【発明の詳細な説明】
【０００１】
【発明の属する技術分野】
本発明は、パンツ式又はテープ式の使い捨て紙おむつに関し、さらに詳細には、着用者の両脚部を自由に動かすことができ、また、股ずれや液漏れを防止でき、さらにまた、パッドとしても使用できるすっきりタイプの使い捨て紙おむつに関する。
【０００２】
【従来の技術】
従来、乳幼児や要介護者等に使用されているパンツ式又はテープ式の使い捨て紙おむつには種々の形状のものが提案され、実用化されているが、その基本的な構成は殆ど大差のないものである。
【０００３】
図１２はその一例であるテープ式の使い捨て紙おむつ（以下、「紙おむつ１００」という）を展開して表面から見た平面図であり、図１３はこの紙おむつ１００の組立体、すなわち使用時の形態を示す斜視図である。
【０００４】
図示するように、この紙おむつ１００は、不織布等からなる透液性トップシート１０１と、ポリエチレン等からなる不透液性バックシート１０２と、これらのシート間に介在された綿状パルプ等からなる吸収体１０３と、この吸収体１０３を長手方向両側より挟むようにしてトップシート１０１の表面側に設けられた立体ギャザー１０４等により構成された紙おむつ本体１０５を前身頃Ｆ’及び後身頃Ｂ’に設け、全体を、平面視擬似砂時計形状としたものである。なお、脚周り部Ａ’の内側、及び、前身頃Ｆ’と後身頃Ｂ’の胴回り部Ｄ’にはゴム紐等からなる弾性伸縮部材１０７が設けられている。この弾性伸縮部材１０７を含む脚周り部Ａ’により、図１３に示すような脚開口部（レッグホール）１０８が形成されている。
【０００５】
この紙おむつ１００を使用する場合には、全体を長手方向中央部、すなわち着用者の股間中心部Ｋ’の位置より上下方向に二つに折り返して前身頃Ｆ’と後身頃Ｂ’を形成し、着用者の股間部に装着後、後身頃Ｂ’の胴周り部Ｄ’端部に連結されたファスニングテープ等の止着テープＴ’面（オス材面）を前身頃Ｆ’の胴周り部Ｄ’の裏面（メス材面）に止着することにより身体に固定される。
【０００６】
【発明が解決しようとする課題】
しかしながら、この紙おむつ１００は、前身頃Ｆ’と後身頃Ｂ’とを連結する股間中心部Ｋ’において、図１２及び図１３に符号ｄ’で示す幅方向の寸法が通常１５〜２０ｃｍと広幅に設定されているため、着用したときに股間部が嵩張ったり膨らんだりして見栄えが悪く、また、着用者の股間部がおむつの内面によって強く擦られるために股ずれを起こし易いという欠点がある。さらにまた、脚開口部１０８から出た着用者の両脚の動きが制約され、自由度が失われるために、歩く上にも支障がある等の理由により、このような従来の紙おむつ１００は着用者にすっきり感を与えるものではなかった。
【０００７】
また、このような紙おむつ１００は、従来、例えば図１４に斜視図で示すような股漏れ防止用のパッド２００と併用されることがある。このパッド２００は、透液性トップシート２０１と、不透液性バックシート２０２と、これらのシート間に介在された吸収体２０３と、この吸収体２０３を長手方向両側より挟むようにしてトップシート２０１の表面側に設けられた立体ギャザー２０４と、立体ギャザー２０４の外側に設けられた脚周り弾性伸縮部材２０５等からなる全体が矩形状のもので、紙おむつ１００の内側表面に重ねられ、着用者の股間部に当接するようにして使用される。しかしながら、このパッド２００は、その股間部の幅方向寸法ｄ”が前記紙おむつ１００と同様に広く設定されているために、上述したような欠点がさらに増し、このため着用者には一層強い不快感を与えるものとなっていた。
【０００８】
しかし、だからといって、このような紙おむつ１００、あるいはパッド２００の股間部幅をただ単に狭めただけでは、この股間部から尿等が外に漏れ出したり、紙おむつ、あるいはパッド自体の強度の低下に伴い耐久性がなくなる等の問題があった。
【０００９】
本発明は、上記実情に鑑みてなされたもので、その目的とするところは、着用者の両脚部を自由に動かすことができ、また、股ずれや液漏れを防止でき、さらにまた、パッドとしても使用できるすっきりタイプの使い捨て紙おむつを提供することにある。
【００１０】
【課題を解決するための手段】
本発明の上記目的は、表面側を覆う透液性トップシートと、裏面側を覆う不透液性バックシートと、前記各シート間に介在された吸収体と、前記透液性トップシートの表面における前記吸収体の両側に夫々設けられた立体ギャザーとからなる紙おむつ本体を有するパンツ式又はテープ式の使い捨て紙おむつであって、前記紙おむつ本体は、その股間中心部側が前記吸収体の中央部より狭幅に形成され、前記立体ギャザーは胴回り部側では開放され、前記股間中心部側では一方の側部から他方の側部に跨って横切るようにして前記股間中心部側に突状とされた湾曲形状に形成されてなり、かつ当該紙おむつ本体は前記紙おむつの前身頃及び／又は後身頃の位置に設けられていることを特徴とする使い捨て紙おむつによって達成される。
【００１２】
また、本発明の上記目的は、前記紙おむつ本体は、止着部材を介して前記前頃及び／又は後身頃に取り付けられていることを特徴とする紙おむつによってより効果的に達成される。
【００１３】
さらにまた、本発明の上記目的は、前記紙おむつの股間中心部位置における幅方向の寸法は１〜４ｃｍであることを特徴とする使い捨て紙おむつによってより効果的に達成される。
【００１４】
【発明の実施の形態】
以下、本発明の内容を実施の形態を示す添付図面に基づき詳述する。
【００１５】
図１は、本発明の第１の実施例に係わるテープ式の使い捨て紙おむつ（以下、「紙おむつ１０」という）を展開して表面から見た平面図、図２は図１のII−II断面矢視図、図３は図１において円IIIで示す要部の斜視図、図４は本紙おむつ１０の組立体、すなわち使用時の形態を示す斜視図である。
【００１６】
これらの図に示されるように、本紙おむつ１０は、前身頃Ｆと後身頃Ｂとを胴周り部Ｄの側端部Ｓでファスニングテープ等の止着テープＴにより互いに止着してなるテープ式の紙おむつであって、表面側を覆う不織布等からなる透液性トップシート１１と、裏面側を覆うポリエチレン等からなる不透液性バックシート１２と、前記各シート間に介在された綿状パルプ等からなる吸収体１３と、透液性トップシート１１の表面における吸収体１３の両側に夫々設けられた不織布等からなる立体ギャザー１４とからなる紙おむつ本体１５を、その股間中心部Ｋ側を吸収体１３の中央部より狭幅に形成し、かつ、立体ギャザー１４を股間中心部Ｋ側では一方の側部から他方の側部に跨って横切るように形成して本紙おむつ１０の前身頃Ｆ及び後身頃Ｂの両方の位置に設けたものである。なお、前身頃Ｆ及び後身頃Ｂの胴周り部Ｄにはゴム紐等からなる弾性伸縮部材１６が設けられている。この弾性伸縮部材１６により、本紙おむつ１０が着用者の腰部にしっかり装着される。
【００１７】
本紙おむつ１０の展開時における全体形状は、図１に示すように、透液性トップシート１１と不透液性バックシート１２とを貼り合わせてなるシート材により擬似砂時計状に形成されている。とくに左右の脚周り部Ａが湾曲状に大きく切り取られ、本紙おむつ１０の股間中心部Ｋ位置における幅方向の寸法ｄが１〜４ｃｍの範囲に設定され、前述した従来の使い捨て紙おむつ１００の股間部幅ｄ’に較べ１／４以下の狭い幅に作られている。なお、この幅方向寸法ｄを５ｃｍ以上にすると、嵩張りや膨らみを生じて見栄えが悪くなる上股ずれを起こし易くなり、逆に１ｃｍ以下にすると液漏れや耐久性等の点で支障を生じる懸念がある。
【００１８】
紙おむつ本体１５は、図２に断面図で示すように、下層側より順に、不透液性トップシート１２、防水フィルム１７、吸収体１３を被包したクレープ紙１８、透液性トップシート１１、そしてこの上に取り付けられた立体ギャザー１４により構成されている。なお、防水フィルム１７及びクレープ紙１８等は必要に応じて設けられる。
【００１９】
立体ギャザー１４は、図１に平面図で示すように、胴周り部Ｄ側が広く開放され、上述したように股間中心部Ｋ側では一方の側部から他方の側部に跨って横切るようにして、股間中心部側に突状とされた湾曲形状に形成され、また図２に断面図で示すように、その内部に設けられた複数本のゴム紐等の弾性伸縮部材１９により先端部が内側に傾けられ、透液性トップシート１１の表面にホットメルト接着剤等により取り付けられている。立体ギャザー１４を前身頃Ｆ及び後身頃Ｂに設けることにより、紙おむつ本体１５が着用者の身体にフィットし、着用者の尿や便等の漏れ出しが防止される。図３は、このように前身頃Ｆ側及び後身頃Ｂ側に設けられた立体ギャザー１４の股間部位置における配置状態を示したものである。
【００２０】
図４は、以上のとおり構成された本紙おむつ１０の組立体、すなわち着用者が着用し使用するときの形態を示したものである。本紙おむつ１０は、紙おむつ本体１５を含む擬似砂時計形状のシート材を長手方向中央部、すなわち着用者の股間中心部Ｋ位置より長手方向に二つに折り返して前身頃Ｆと後身頃Ｂを形成し、着用者の股間部に装着後、後身頃Ｂの胴周り部Ｄ端部に連結された止着テープＴ面（オス材面）を前身頃Ｆの胴周り部Ｄのバックシート１２面（メス材面）に止着することにより身体に固定して使用される。
【００２１】
以上に説明したように、本紙おむつ１０は、股間部が従来の１／４以下の狭幅に作られているので、股間部の嵩張りや膨らみがなくなって見栄えがよくなり、また、着用者は脚開口部２０から外に出た両脚を自由に動かすことができるので歩行が楽になる。また、おむつの股間部に当接する範囲が狭められ、当たりが弱められるので股ずれを起こすことがなくなる。
【００２２】
さらにまた、立体ギャザー１４が狭幅の股間部の近傍まで延設され、かつ、この股間部側が一方の側部から他方の側部に跨って横切るように袋状に形成されているので、尿や便等の排泄物の漏れ出しをこの立体ギャザー１４により確実に防止することができる。
【００２３】
このように、本紙おむつ１０によれば、着用者にすっきり感を与えることができ、おむつ交換を抵抗なく楽しく行うことができる。
【００２４】
以上、本発明の内容を一実施例に基づき説明したが、本発明はこれに限られるものではなく、構成を種々に変更することができる。
【００２５】
図５は本発明の第２の実施例に係わる一種のパンツ式の使い捨て紙おむつ（以下、「紙おむつ３０」という）を展開して表面から見た平面図、図６は本紙おむつ３０の組立体、すなわち使用時の形態を示す斜視図である。なお、以下の実施例においては、前記第１実施例に係わる紙おむつ１０の構成部品と対応する構成部品には類似の符号を付して説明する。
【００２６】
本紙おむつ３０は、前身頃Ｆ１と後身頃Ｂ１とを胴周り部Ｄ１の側端部Ｓ１でホットメルト接着剤等により接合してなるパンツ式の紙おむつであって、表面側を覆う透液性トップシート３１と、裏面側を覆う不透液性バックシート３２と、前記各シート間に介在された吸収体３３と、透液性トップシート３１の表面側における吸収体３３の両側に夫々設けられた立体ギャザー３４とからなる紙おむつ本体３５を、図５に示すように、その股間中心部Ｋ１側を吸収体３３の中央部より狭幅に形成し、かつ、立体ギャザー３４の股間中心部Ｋ１側を一方の側部から他方の側部に跨って横切るように形成し、このように構成した紙おむつ本体３５を本紙おむつ３０の後身頃Ｂ１の位置に設けたものである。なお、本紙おむつ３０においても、第１実施例に係る紙おむつ１０と同様に、前身頃Ｆ１と後身頃Ｂ１とを連結する股間部、すなわち股間中心部Ｋ１位置における幅方向の寸法ｄ１が１〜４ｃｍの範囲に設定されている。
【００２７】
本紙おむつ３０の展開時における形状は、図５に示すように、後身頃Ｂ１が透液性トップシート３１と不透液性バックシート３２とを貼り合わせてなるシート材により擬似砂時計の上半分の形状に形成されているのに対し、前身頃Ｆ１は股間部及び胴周り部Ｄ１が帯状に形成されている。なお、前身頃Ｆ１の胴回り部Ｄ１及び後身頃Ｂ１の胴回り部Ｄ１には弾性伸縮部材３６が夫々設けられている。
【００２８】
なお、紙おむつ本体３５及び立体ギャザー３４は、夫々、第１実施例に係わる紙おむつ本体１５及び立体ギャザー１４と実質的に同一の構成であるので、この説明は省略する。
【００２９】
このように、本紙おむつ３０は紙おむつ本体３５を後身頃Ｂ１側に配置してなるもので、股間部が狭幅に形成されていることから、第１実施例の紙おむつ１０と同様に、両脚部を自由に動かすことができ、また、股ずれを起こすことがなく、さらにまた、後身頃Ｂ１側に設けられた立体ギャザー３４により排泄物、とくに便の漏れ出しを完全に防止することができる。
【００３０】
なお、この第２実施例に係わる紙おむつ３０では、紙おむつ本体３５を後身頃Ｂ１側に配置して便の漏れ出し防止を図ったが、必要に応じ、これを前身頃Ｆ１側に配置し、尿の漏れ出し防止を図った紙おむつとしてもよい。
【００３１】
図７は本発明の第３の実施例に係わるパンツ式の使い捨て紙おむつ（以下、「紙おむつ４０」という）を展開して表面から見た平面図、図８は本紙おむつ４０の組立体、すなわち使用時の形態を示す斜視図である。
【００３２】
本紙おむつ４０は、前身頃Ｆ２と後身頃Ｂ２とを胴周り部Ｄ２の側端部Ｓ２でホットメルト接着剤等により接合してなるパンツ式の紙おむつであって、第２実施例に係わる紙おむつ３０と対比すると、表面側を覆う透液性トップシート４１と、裏面側を覆う不透液性バックシート４２と、前記各シート間に介在された吸収体４３と、この吸収体４３を円弧状に取り囲むようにし、かつ股間部近傍の先端部を袋状に形成して透液性トップシート４１の表面側に設けた立体ギャザー４４とからなる紙おむつ本体４５を有する点で共通するが、この紙おむつ本体４５が前身頃Ｆ２側から後身頃Ｂ２の股間部側の一部に跨って設けられ、また、股間中心部Ｋ２における幅方向寸法ｄ２及び胴周り部Ｄ２が紙おむつ３０より広幅に設定されている点で相違している。
【００３３】
本紙おむつ４０は、このように立体ギャザー４４が前身頃Ｆ２の全域から後身頃Ｂ２の臀部位置まで覆うように設けられているので、尿と便の両方の漏れ出しを防止することができる。また、胴周り部Ｄ２が広幅に作られているので、本紙おむつ４０を着用者の腰部にしっかり固定することができる。なお、本紙おむつ４０は、必要に応じ、前身頃Ｆ２と後身頃Ｂ２とを逆にして構成した紙おむつとすることもできる。
【００３４】
以上、本発明に関し、紙おむつ本体を前身頃及び／又は後身頃の位置に設けてパンツ式、あるいはテープ式の紙おむつとした場合について説明したが、本発明においては、前記紙おむつ本体を従来公知のパンツ式、あるいはテープ式の紙おむつの内部に装着することにより、従来の股漏れ防止用パッドとしても使用することができる。
【００３５】
すなわち、先ず、図１に示す第１実施例に係わる紙おむつ１０については、紙おむつ本体１５の裏面側に仮想線で示すような止着テープ（オス材）Ｔ１０を設けておき、この止着テープＴ１０を従来紙おむつの表面（メス材）に止着することによりパッド用として使用することができる。本紙おむつ１０をこのように使用すると、尿や便等の漏れ出しが二重に防止される上、汚れた場合にはこの内部の紙おむつ１０のみを交換すればよく、また、股間部が狭幅に作られているので従来パッドの有する前述したような欠点が全て解消される。とくに、本紙おむつ１０自体が止着テープＴ１０により紙おむつの内面にしっかり固定されるので、おむつずれに起因した股ずれが防止され、また、止着テープＴが紙おむつ内面に対し着脱自在となっているので、おむつ交換が簡単かつ短時間にできる利点がある。
【００３６】
次に、図５に示す第２実施例に係わる紙おむつ３０については、胴周り部Ｄ１の裏面に前記同様な止着テープＴ３０を設けることにより、また、図７に示す第３実施例に係わる紙おむつ４０についても止着テープＴ４０を設けることにより、夫々、前記同様な効果が得られる。
【００３７】
以上は、紙おむつ本体を前身頃及び／又は後身頃の位置に設けてなる紙おむつをパッド用として使用する場合であるが、この紙おむつ本体は単独でパッド用として使用することもできる。
【００３８】
図９はその一実施形態である紙おむつ本体５５の展開平面図である。すなわち、この紙おむつ本体５５は、透液性トップシート５１と、不透液性バックシート５２と、吸収体５３と、吸収体５３を取り囲むように透液性トップシート５１の表面に形成され、狭幅の股間部側を一方の側部から他方の側部に跨って横切るように形成された立体ギャザー５４と、弾性伸縮部材５６等を含む全体形状及び構成が実質的に前記各実施例における紙おむつ本体と同一なものであって、胴回り部Ｄ３の両側端部及び股間部側端部Ｓ３の裏面に設けられた止着テープＴ３を介して、前記同様に、従来紙おむつの表面に着脱自在に止着されて使用されるものである。この紙おむつ本体５５によっても前記同様な効果が得られる。
【００３９】
図１０は、他の実施形態に係わる紙おむつ本体６５の平面図であって、立体ギャザー６４が吸収体６３を略楕円状に取り囲むようにして袋状に設けられている点を除き、前記紙おむつ本体５５と実質的に同一な構成をなし、前記同様に、止着テープＴ４を介して従来紙おむつの内面に止着されて使用される。図１１は、この紙おむつ本体６５が前記従来のテープ式紙おむつ１００の内部に止着されて使用される状態を示す斜視図である。この紙おむつ本体６５によっても、前記同様な効果が得られる。
【００４０】
【発明の効果】
以上に詳述したように、本発明は、表面側を覆う透液性トップシートと、裏面側を覆う不透液性バックシートと、前記各シート間に介在された吸収体と、前記透液性トップシートの表面における前記吸収体の両側に夫々設けられた立体ギャザーとからなる紙おむつ本体を有するパンツ式又はテープ式の使い捨て紙おむつであって、前記本体は、その股間中心部側が前記吸収体の中央部より狭幅に形成され、前記立体ギャザーは胴回り部側では開放され、前記股間中心部側では一方の側部から他方の側部に跨って横切るようにして前記股間中心部側に突状とされた湾曲形状に形成されてなり、かつ当該紙おむつ本体は前記紙おむつの前身頃及び／又は後身頃の位置に設けられている使い捨て紙おむつであるので、着用者は両脚部を自由に動かすことができ、また、股ずれを起こすことがなく、さらにまた、液漏れを完全に防止することができる。よって本発明に係る紙おむつによれば、着用者にすっきり感を与えることができる。
【００４１】
とくに、前記紙おむつ本体を止着部材を介して従来紙おむつの前身頃及び／又は後身頃の内面に取り付けて使い捨て紙おむつを形成すると、この紙おむつ本体をパッド用として使用することができる。このような紙おむつによれば、排泄物の漏れ出しをさらに確実に防止することができ、また、おむつ交換が簡単かつ短時間にできるという実用上顕著な効果が得られる。
【図面の簡単な説明】
【図１】本発明の第１実施例に係わる使い捨て紙おむつの展開平面図である。
【図２】図１のII−II断面矢視図である。
【図３】図１に示す紙おむつの要部の斜視図である。
【図４】図１に示す紙おむつの組立体の斜視図である。
【図５】本発明の第２実施例に係わる使い捨て紙おむつの展開平面図である。
【図６】図５に示す紙おむつの組立体の斜視図である。
【図７】本発明の第３実施例に係わる使い捨て紙おむつの展開平面図である。
【図８】図７に示す紙おむつの組立体の斜視図である。
【図９】本発明に係わる紙おむつの変更例を示す展開平面図である。
【図１０】本発明に係わる紙おむつの他の変更例を示す展開平面図である。
【図１１】本発明に係わる紙おむつ本体を従来の紙おむつの内部に止着して使用する状態を示す斜視図である。
【図１２】従来の紙おむつの展開平面図である。
【図１３】図１２に示す紙おむつの組立体の斜視図である。
【図１４】従来のパッドの一例を示す斜視図である。
【符号の説明】
１０，３０，４０                              本発明の使い捨て紙おむつ
１１，３１，４１，５１，６１，１０１，２０１  透液性トップシート
１２，３２，４２，５２，６２，１０２，２０２  不透液性バックシート
１３，３３，４３，５３，６３，１０３，２０３  吸収体
１４，３４，４４，５４，６４，１０４，２０４  立体ギャザー
１５，３５，４５，５５，６５，１０５          紙おむつ本体
２３，１０８                                  脚開口部
１００                                        従来の使い捨て紙おむつ
２００                                        従来のパッド
Ａ，Ａ’                                      脚周り部
Ｂ，Ｂ１，Ｂ２，Ｂ’                          後身頃
Ｆ，Ｆ１，Ｆ２，Ｆ’                          前身頃
Ｄ，Ｄ１，Ｄ２，Ｄ３，Ｄ４，Ｄ’              胴回り部
Ｔ，Ｔ１，Ｔ２，Ｔ３，Ｔ４，Ｔ’              止着（ファスニング）テープ
Ｋ，Ｋ１，Ｋ２，Ｋ’                          股間中心部
ｄ，ｄ１，ｄ２，ｄ３，ｄ４，ｄ’，ｄ”        幅方向寸法
【図１】
0003889975.tif 000002
【図２】
0003889975.tif 000003
【図３】
0003889975.tif 000004
【図４】
0003889975.tif 000005
【図５】
0003889975.tif 000006
【図６】
0003889975.tif 000007
【図７】
0003889975.tif 000008
【図８】
0003889975.tif 000009
【図９】
0003889975.tif 000010
【図１０】
0003889975.tif 000011
【図１１】
0003889975.tif 000012
【図１２】
0003889975.tif 000013
【図１３】
0003889975.tif 000014
【図１４】
0003889975.tif 000015